(57)【要約】容器２２の注出蓋装置２０が、提供される。装置２０は、容器２２の容器開口２８の部位から延出する本体３０を含む。本体３０は、基部５０、基部５０に対して往復動ができる導管７０、および導管７０を基部５０に連結する可撓性壁８０を含む。導管７０は、注出穴８４、および第一密封面１１６を含む。注出体４０は、本体３０に回動可能に担持されている。注出体４０は、注出オリフィス４２、および第一密封面１１６と係合する第二密封面１３０を含む。本体３０は、注出体４０と一体になって、（１）注出体４０の一方向への回転に応動して導管７０を第一方向の閉位置に動かし、かつ（２）注出体４０の反対方向の回転に応動して導管７０を第一方向とは逆の第二方向の開位置に動かす回転運動を直線運動に転換する駆動装置を規定する。
2005500207.tif 000002
【特許請求の範囲】
【請求項１】
容器内部に通じる開口（２８）を有する容器（２２）の注出蓋装置（２０）であり、
前記注出蓋装置（２０）が、
前記開口（２８）位置で前記容器（２２）から延びる本体（３０）と、
前記本体（３０）に担持され、かつ、前記本体（３０）に対して回転可能な注出体（４０）とを含み、
前記本体（３０）は、（ａ）基部（５０）、（ｂ）前記基部（５０）に対して往復動可能な導管（７０）、および（ｃ）前記導管（７０）を前記基部（５０）に連結する可撓性壁（８０）を含み、
前記導管（７０）は、排出穴（８４）と、第一密封面（１１６）とを含み、
前記注出体（４０）は、少なくとも一つの注出オリフィス（４２）と、前記第一密封面（１１６）と係合する第二密封面（１３０）とを含む注出蓋装置（２０）において、
前記本体（３０）と前記注出体（４０）とが協働して、（１）前記注出体（４０）の一方向への回転に応答して前記導管（７０）を第一方向における閉位置に動かし、前記第一密封面（１１６）と前記第二密封面（１３０）とを密封係合させて前記注出オリフィス（４２）を閉塞し、また、（２）前記注出体（４０）の反対方向への回転に応答して前記導管（７０）を前記第一方向とは逆の第二方向の開位置に動かし、前記導管第一密封面（１１６）が前記注出体第二密封面（１３０）から離れ、前記導管排出穴（８４）を介して前記注出オリフィス（４２）から流出させるために、回転運動を直線運動に転換する駆動装置を規定する容器内部に通じる開口を有する容器の注出蓋装置（２０）。
【請求項２】
前記装置が、前記容器の端部の開閉装置であり、前記容器の前記端部が、前記容器開口を画成し、さらに、前記開閉装置が、前記本体と前記注出体とを含む請求項１に記載された注出蓋装置。
【請求項３】
前記開閉装置が、前記容器とは別体の構成部品であり、
前記本体が、前記容器開口上方の前記容器端部に取り外し可能に装着されている請求項２に記載された注出蓋装置。
【請求項４】
前記基部が、容器側の対応するねじと螺合するためのねじを含む請求項１に記載された注出蓋装置。
【請求項５】
前記可撓性壁が、概ね環状形状を有しており、前記導管が前記閉位置と前記開位置との間を動く時に、一時的に変形する請求項１に記載された注出蓋装置。
【請求項６】
前記注出体が、前記容器開口を使用可能にするために開裂する必要がある密着ライナーを少なくとも部分的に切断する切断用刃を含む請求項１に記載された注出蓋装置。
【請求項７】
前記導管が、（１）概ね環状の壁と、（２）前記環状壁から半径方向内向きに延在する複数のリブによって支持された中央栓とを有し、
前記少なくとも一つの注出オリフィスが、二つの前記リブと、前記栓と、前記環状壁との間に画成されている請求項１に記載された注出蓋装置。
【請求項８】
前記第一密封面が、前記栓の外周面上に画成され、
前記導管環状壁が、前記リブ、前記栓、および前記注出オリフィスの外周部に摺動式環状密閉突条を含み、
さらに、前記注出体が、スカートと、前記密閉突条と係合するための内面を画成する内側環状壁とを含む請求項７に記載された注出蓋装置。
【請求項９】
前記栓外周面が、概ね円筒形である請求項８に記載された注出蓋装置。
【請求項１０】
前記第二密封面が、概ね円筒形の内面である請求項１に記載された注出蓋装置。
【請求項１１】
前記導管が、外向きに突出するカム従動子を含み、
かつ、前記注出体が、前記カム従動子を受承するためのカム軌道溝を含む請求項１に記載された注出蓋装置。
【請求項１２】
前記注出体が、（ａ）周縁スカートと、（ｂ）前記注出オリフィスが画成されている天板部と、（ｃ）前記注出オリフィスの周囲に前記天板部から突出するカラーとを含み、
前記カラーが、前記第二密封口を画成する請求項１に記載された注出蓋装置。
【請求項１３】
前記基部が、周縁に口唇部突起を規定し、
かつ、前記注出体が、前記基部の上に前記注出体を保持するための前記口唇部突起と係合する突条を規定することによって、前記注出体が、前記基部に対して回動できるようになっている請求項１に記載された注出蓋装置。
【発明の詳細な説明】
【技術分野】
【０００１】
本発明は、流動性を有する材料を容器から必要量だけ注ぐ装置に関するものである。本発明は、とりわけ、絞り出し可能な容器に用いられる注出蓋装置に組み込むのに適している。
【背景技術】
【０００２】
従来の注出蓋装置には種々の種類があり、それらは、設計された適用においては概ね満足できる機能を有する。先行技術によるある種類の注出蓋装置は、容器上部に装着された本体または基部を含み、また、基部または本体に装着された回動可能な注出体も含む。注出体を一方向に回すと注出体が僅かに上昇して、本体または基部における排出穴が開く。注出体を反対方向に回すと、注出体が下降して、排出穴が閉じる。例えば、米国特許第５６８０９６０号に開示された設計を参照。
【０００３】
そのような先行技術による捻り開け／捻り閉め装置は、それが意図された適用においてはうまく機能するが、別の形態に適用されると、その使用者は、装置の美的魅力が一観点において少々劣っていることに気が付く。とりわけ、注出体が上向きの全開位置方向に回されたときに、該注出体が、基部または本体に沿って上昇し、隙間が、本体または基部に沿って上昇する注出体下端部の下方に形成される。使用者の中には、この隙間部を見苦しいとみなす人もいる。また、注出蓋装置を瓶入りの飲料水、スポーツドリンク等に用いようと意図した場合には、使用者は、注出蓋装置を使用者の口中に挿入して飲むことを望み、使用者の唇が隙間の周りに配置されるようなことになると、該隙間を少々不快だと感じる。
【発明の開示】
【発明が解決しようとする課題】
【０００４】
したがって、使用者が、注出体部品を回して注出オリフィスを開ける時に、注出体に近接する部位に隙間が形成されない注出蓋装置を提供することが好ましい。
【０００５】
また、最小数の構成部品を有して、製造組立を容易にした注出蓋装置を提供することが好ましい。
【０００６】
また、排出路を横切って密封した穴あけ可能または切断可能なライナーまたは膜を選択的に装着できるようにした注出蓋装置を提供することが有利である。例えば、従来の容器の中には開閉装置の底部を覆う、または、容器頚部を覆うライナーが設けられたものがある。容器開口の上端を覆うように配置して密着され、かつ、初めに開閉装置上端部材を下向きに押すことによって貫通または穴あけされるライナーまたは膜については、それが開示されている、例えば、米国特許第６，０４５，００４号および同５８５３１０９号を参照されたい。そのようなライナーを同様に、しかし選択的に組み込むことができ、かつ、開閉装置を容器から取り外すことなく、開閉装置を操作することによって該ライナーを開裂することができる捻り開け／捻り閉め式開閉装置を提供することが好ましい。
【０００７】
また、注出蓋装置が、初めから開封されている、または、悪戯されていることを消費者に容易に示すことができる選択可能な悪戯明示形状を組み込むことができる注出蓋装置を提供することが好ましい。
【０００８】
さらに、改良された注出蓋装置には、注出体を使用前に防護するカバー（ｏｖｅｒｃａｐ）を選択的に用いることが有益である。
【０００９】
また、注出蓋装置は、種々の異なる材料から容易に製造できることが有益である。
【００１０】
また、そのような改良された注出蓋装置は、種々の形状を有し、かつ、異なる材料で形成された瓶、容器、またはパッケージに用いられることが有利である。
【００１１】
さらに、そのような改良された注出蓋装置は、低い不良品率、製品毎の高信頼性、および安定した作動特性を有する製品を得るための、高効率、高品質、高速、および大量生産の技術によって製造されることが好ましい。
【課題を解決するための手段】
【００１２】
本発明は、容器内部に通じる開口を有する容器用の改良された注出蓋装置を提供するものである。使用者は、開閉装置を容易に操作して、容器からの流れが阻止される全閉形状にする、または、容器からの流出が可能な開形状にすることができる。
【００１３】
注出蓋装置は、開形状または全閉形状にあるときに、装置または容器の側部に見苦しい隙間を有しない。したがって、装置は、製品または汚れが堆積する好ましくない開放領域または部位が最小化され、また、装置は、使用者が指または唇に触れて不快に感じる縁または隙間が最小化されている。
【００１４】
本発明による注出蓋装置は、悪戯明示形状、貫通可能な膜またはライナー形状、およびカバーを選択的に設けることができる。
【００１５】
注出蓋装置は、容器の容器開口も部位から延出する本体を含む。本体は、（ａ）基部、（ｂ）基部に対して往復動ができる導管、および（ｃ）導管を基部に連結する可撓性壁を含む。導管は、排出穴、および第一密封面を含む。
【００１６】
注出蓋装置は、本体に担持され、かつ、本体に対して回動できる注出体を含む。
【００１７】
本体と注出体が協働して、回転運動を直線運動に転換する駆動装置を規定する。駆動装置は、注出体の一方向への回転に応動して導管を第一方向の閉位置に動かして、第一密封面と第二密封面とを密封するように接触させることによって注出オリフィスを閉塞する。駆動装置は、また、注出体の反対方向への回転に応動して導管を第一方向とは逆の第二方向の開位置に動かして、導管第一密封面と注出体第二密封面との間に間隙を空けることによって、導管排出穴を介して注出オリフィスから流出させる。
【００１８】
開閉装置は、開閉部を規定する構成部品の組立体として容易に構成することができ、容器とは別体であるが、容器に装着できるようになっている。そのような開閉装置は、容器に取り外しできるように装着される形態、または、容器に取り外しできないように装着される形態に構成される。
【００１９】
本発明が有する多数の他の利点および特徴は、以下の本発明の詳細な説明、請求項、および添付図面から容易に明白になるであろう。
【００２０】
添付図面は、本明細書の一部を構成しており、全体を通して、類似番号が類似部品に付してある。
【００２１】
本発明は、多くの異なる形状で実施できるが、本明細書、および添付図面では、本発明の例として単に一部の特定形状を開示する。しかし、本発明を、説明する形態に制限しようと意図するものではない。本発明の範囲は、添付請求項に指摘してある。
【００２２】
説明を容易にするために、本発明を図示する図面の多くは、注出蓋装置の基部に容器が上向きに装着された時に、注出蓋装置が容器の上部に配置される典型的な向きで示されており、上部、下部、水平等の用語は、この配置を基準にして用いられている。しかし、本発明による注出蓋装置が、説明した配置以外の向きで製造、保管、使用、および販売されることは理解されるであろう。
【００２３】
本発明による注出蓋装置は、種々のデザインを有する多様な従来容器または特別容器に用いることが好適であり、例示や説明はしないが、当業者、およびそのような容器を理解できる人には詳細が明白であろう。ここで説明する容器自体は、本発明を構成するものではなく、本発明を制限しようとする意図もない。また、通常の当業熟練者には、新規で、斬新な発明的観点が、例示として説明される開閉装置だけに実施されていることが理解できるであろう。
【実施例１】
【００２４】
本発明による注出構造体または注出蓋装置の現在の好適実施例が、図１〜図５に示されており、図１では全体として符号２０を付している。図示された好適実施例では、注出口構造体または注出蓋装置２０は、一般に流動性を有する材料を収容する容器２２に装着できるようになっている開閉装置２０の形状で提供される。容器２２は、図２に示す本体２４、および頚部２６を含む。頚部２６は、容器内部に通じる開口２８を画成する。容器頚部２６は、図２に示す好適実施例では、開閉装置２０と係合するための外側雄ねじ５８を有する。
【００２５】
容器２２の本体２４は、任意の好適形状であってよく、また、上向きに延出する頚部２６は、容器本体２４とは異なる断面寸法および／または形状を有してもよい。代替としては、容器２２は、頚部２６自体を有する必要がない。代わって、容器２２は、開口を有する本体だけで構成されていてもよい。容器２２は、一つまたは複数の硬質壁を有していてもよく、あるいは、一つまたは複数の多少の可撓性を有する壁を有していてもよい。
【００２６】
容器自体は、必ずしも本発明自体の最も広い観点の一部を構成する必要はないが、本発明による注出構造体または装置２０の少なくとも本体部は、容器の上部と一体化された部分または延長部として設けられる。しかし、図示した好適実施例では、注出装置２０は、別体の構成部品（例えば、開閉装置）であり、容器内部に通じる開口２８を有して、予め製造された容器２０に取り外し可能に、または、取り外し不可能に装着することができるようになっている。
【００２７】
開閉装置２０は、容器内部を、ひいては、そこに収容された製品を利用するための開口２８を有する容器２２に使用できるようになっている。開閉装置２０は、これらに限定されるものではないが、食品、美容品、工業用または家庭用洗剤、および他の合成材料（例えば、製造、商業施設保全または家事、建設、農業等の活動に使用される合成品）の構成成分としての比較的低粘度または高粘度の液体、クリーム、ゼリー、懸濁液、混合液、ローション、ペースト、微粒子、粒状材料等を含む多くの材料に使用することができる。
【００２８】
開閉装置２０が使用される容器２２は、一般には一つまたは複数の可撓性壁を有する絞り出し可能な容器であり、使用者は、容器を把持して、圧搾または圧縮して容器内部の圧力を高め、製品を開閉装置を介して容器から強制的に押し出すことができる。そのような可撓性を有する容器壁は、一般に十分な、固有の弾性を有しており、圧搾力が取り除かれると、容器壁は、応力が加えられていない本来の形状に復帰する。そのような圧搾できる壁を有する容器は、多くの適用において好ましいものであるが、他の適用においては不必要である、または、好ましくない。例えば、ある適用においては、ほぼ剛性である容器を採用して、容器内部を必要な時にピストンまたは他の加圧装置によって加圧することが好ましい。
【００２９】
開閉装置２０を適用した形態の多くは、開閉装置２０の複数の、または、全ての構成部品を一つまたは複数の種類の適当な熱可塑性材料および／または熱硬化性材料から成形することによって、最も都合よく実現することができるものと現在は考えられている。図示した好適実施例では、開閉装置の各々の構成部品は、ポリプロピレンのような適当な熱可塑性材料から成形することができる。開閉装置の複数の構成部品を、同一材料または異なる材料から別々に成形してもよい。これらの材料は、同一または異なる色、および質感を有していてもよい。
【００３０】
図２から判るように、開閉装置２０は、（１）本体３０、および（２）本体３０に担持できるようにされ、かつ、本体３０に対して回動可能な注出体４０の二つの基本的構成部品を含む。
【００３１】
図５から判るように、開閉装置の本体３０は、スカート５２、および内向きに延在して、概ね環状の平面部５４を有する基礎部分または基部５０を含む。スカート５２の内面は、容器の頚部２６の外側雄ねじ５８とねじ係合するための雌ねじ５６を規定する。
【００３２】
代替としては、開閉装置のスカート５２に、ねじ５６の代わりのスナップ嵌合突条または溝（図示せず）のような他の容器連結手段を設けて、容器頚部に設けられた容器の溝または突条（図示せず）の各々と係合させることもできる。また、開閉装置の本体３０、および容器２２に用いられた材料に応じて、誘導溶着、超音波溶着、接着、その他の手段を使い、開閉装置の本体３０を容器２２に永久固定することもできる。また、開閉装置の本体３０を容器２２と一体化された部分、つまり延長部分、として形成することもできる。
【００３３】
開閉装置本体のスカート５２は、開閉装置本体３０の特定形状体内部に受承される容器２２の上向きに突出する頚部２６または他の部位を受け入れるためには任意の適当な形状を有することができ、また、容器２２の主要部分は、容器の頚部２６、および開閉装置の本体３０とは異なる断面形状を有していてもよい。
【００３４】
選択可能なシールまたはライナー６０を、容器の頚部２６の上端部を覆うように、または、代わりに、開閉装置本体の平面部５４の下面に密着させてもよい。しかし、そのようなライナー６０によって与えられる悪戯明示シールまたは未開封（ｆｒｅｓｈｎｅｓｓ）シールが、特定の適用において必要ではない、または、好ましくない場合には、ライナー６０は、もちろん省略される。
【００３５】
また、必要な場合には、開閉装置本体の平面部５４の下部から下向きに延出する環状シール（図示せず）を、開閉装置の本体３０に設けてもよい。そのようなシールは、特定の適用に応じて、およびライナー６０が用いられるか否かに応じて、「カニはさみ」形シール、プラグシール、または他の類似シールであってよい。
【００３６】
図５を続けて参照して、開閉装置本体の基部５０は、縮径の環状壁６２を含む。外向きに突出する口唇部６４が、壁６２の上端部にある。図示していないが、別の実施例は、縮径壁６２を必要としない。開閉装置本体の基部５０は、代わりに、スカート５２の上方に延長部を有しており、それは、ねじ５６下方のスカート５２の部位と同じ直径を有し、ねじ５６の上方に延在している。または、基部５０のねじ５６上方の部位が、スカート５２のねじ５６の位置、または、その下方の部位より大きい直径を有することもできる。
【００３７】
図５に示すように、開閉装置の本体３０は、開閉装置本体の基部５０に概ね環状の中間部可撓性壁８０によって連結された煙突部または導管７０を含む。壁８０は、導管７０の外周に延在して、開閉装置本体の基部５０と導管７０下部の外面との間に完全密封領域を形成する。可撓性壁８０は、導管７０を開閉装置本体の基部５０に対して（および、開閉装置本体の基部５０が容器２２に装着されている場合には、容器２２に対して）上下動または往復動ができるようにする。
【００３８】
本発明の図示した好適形態では、開閉装置本体の基部５０は、全体として環状の形状を有し、可撓性壁８０は、概ね円錐台形または環状の形状を有し、さらに導管７０は、概ね環状の形状を有する。しかし、開閉装置本体３０のこれらの部位または構成部品は、他の形状であってもよい。例えば、開閉装置本体の基部５０は、多角形を有する容器頚部の上端に装着できるように形成されたプリズム形または多角形であってもよい。そのようなプリズム形または多角形の構成にすると、ねじ連結手段を用いることができないが、スナップ嵌合突条と溝の組み合わせのような他の連結手段が使用できる。
【００３９】
図示した好適実施例では、導管７０は、以下に詳細に説明するように、注出体４０を回動できるようにする。このために、導管７０の図示した好適実施例では、導管７０は、概ね環状の形状を有しており、注出体４０が、その周りを回動できるようになっている。しかし、別の実施例（図示せず）では、導管７０の大部分が環状である必要はなく、代わって、導管７０の少なくとも一部が、以下にその形状が詳細に説明される回転運動を直線運動に転換する駆動装置の一部として注出体４０と相互作用することができる限り、多角形またはプリズム形のような他の形状であってもよい。
【００４０】
導管７０は、内部排出路８４を画成しており、その底部は、開閉装置本体の中空基部５０によって画成される内部領域に開かれている。中空の本体基部５０は、導管７０と一体になって、開閉装置本体３０の一端から開閉装置本体３０の他端まで延在する排出路を規定することを特徴とする。開閉装置の本体３０が容器の頚部２６に装着された場合に（図４）、排出路は、少なくとも容器頚部２６の上端または開口から、開閉装置の本体３０を貫通して、開閉装置本体３０の上端まで延在すると見なしてもよい。
【００４１】
開閉装置本体３０の上端は、一つまたは複数の排出穴９０を有する導管７０の上端によって画成される（図２）。図２から判るように、好適実施例では、三つの内向きに延在する支持壁またはリブ９４（図２では二つのリブ９４が見える）の間に画成された三つの円弧状排出穴９０がある。内向きに延在するリブ９４は、図２、および図５に示すように、中央栓１００を支持する。導管の栓１００は、図２、および図５に示すように、概ね円筒形で、外側に設けられた第一密封面１１６を含む。
【００４２】
排出穴９０、およびリブ９４の外周部から半径方向外向きに環状突条が突出して、以下で詳細に説明するように、注出体４０と密封係合するための滑りシール１０１（図２）を規定する。
【００４３】
図５に示した好適実施例では、導管７０の下端部は、該下端部周縁の他の部位よりさらに少し円周の一部が下方に延出した鋭利な下端縁を有して、尖端または貫通部１１０を規定する。
【００４４】
注出体４０は、スカート１２０、および注出オリフィス４２を規定する環状の天板部１２２を含む（図５）。環状のカラー１２４が、天板部１２２の下部から下向きに突出している。環状カラー１２４の内面は、図５から判るように、外向きに僅かに傾斜して、テーパー付き面１２６を規定する。ほぼ円筒形の第二密封面１３０が、テーパー付き面１２６から上向きに延在して、注出オリフィス４２の内面を規定する。注出体の第二密封面１３０は、図３に示すように、導管栓の第一密封面１１６と密封係合する、または、第一密封面１１６によって密封係合されるようになっている。
【００４５】
図５に示すように、注出体のスカート１２０は、その下端部に半径方向内向きに突出するスナップ突条１４０を含む。図３に示すように、注出体スカートのスナップ突条１４０は、半径方向外向きに突出する開閉装置本体の口唇部６４の下方に嵌合して、係合するようになっている。注出体のスカート１２０は、十分な可撓性、および弾性を有しており、スカートの突条１４０が、開閉装置本体の口唇部６４を乗り越えてその下方で内向きに嵌り込むことができるように、スカート１２０は、一時的に周方向外向きに変形する、または広がることができる。この装着工程、および係合を容易にするために、開閉装置本体の口唇部６４は、傾斜またはテーパーを有しており、注出体スカート１２０の突条１４０は、同様の向きの傾斜またはテーパーを有している。
【００４６】
開閉装置の本体３０は、注出体４０と一体になって回転運動を直線運動に転換する駆動装置を規定しており、図１〜図５に示す好適実施例では、駆動装置は、注出体の天板部１２２の下部から下向きに垂れ下がっている壁１６０の内面に画成された四つの、概ね螺旋状のカム溝または軌道１５０（図５）、および導管７０の外面から半径方向外向きに突出する四つのカムまたはカム従動部材１７０を含む（図５）。各々のカム１７０は、四つのカム軌道１５０の一つに受承されるようになっている。
【００４７】
図３に示すように、注出体４０は、最初にカム１７０とねじ係合され、続けて、注出体スカートのスナップ突条１４０が開閉装置本体の口唇部６４下方に嵌合して、導管の第一密封面１１６が注出体の第二密封面１３０と密封係合することによって注出体の注出オリフィスが導管の栓１００によって閉塞されるまでねじ込まれる（図３）。
【００４８】
容器２２を開封したい場合には、注出体４０を一方向（図１では反時計回り）に回す。開閉装置本体３０の口唇部６４が注出体スカートの突条１４０と係合することによって、注出体４０が開閉装置本体３０上の一定高さに維持されているために、注出体４０は、直動または軸方向運動を起こすことなく単に回るだけである。注出体の回転トルクが、導管のカム１７０に係合しているカム軌道１５０を介して軸方向力として導管７０に伝達されることによって、導管７０は、図３に示す高い閉位置から図４に示す低い開位置へと下向きに移動する。導管７０が下向きに動く時に、環状の可撓性壁８０は、導管７０が下向きに移動して、その貫通部１１０が（選択可能なライナー６０が容器に設けられている場合）ライナー６０に穴を空けることができるように必要なだけ変形する、または、撓む。ライナー６０のフラップ１９０は、導管７０の下向きの移動によって切断されて押し下げられ、導管底部の尖端１１０から約１８０度の位置の小さい非切断部に支持されて、概ね垂直下向きに垂れ下がる。
【００４９】
導管７０の下向き移動は、図４に示すように、可撓性壁８０が下向き変形の限界点に達すると終了する。使用者が、さらに注出体４０を開方向（図１では反時計回り方向）に回そうとすると、変形した可撓性壁８０が、導管７０のそれ以上の下向き移動に抵抗して、または、下向き移動を規制して、注出体４０を開方向に続けて回すことが不可能であることを使用者に知らせる。これにより、使用者は、図４に示すように、ライナー６０が適切に切開された、および／または、開閉装置２０が全開位置にあることを触知できる。
【００５０】
図４に示すように、開閉装置２０が全開状態の時に、使用者は、流動性を有する製品が重力の影響を受けて流出しやすくするために、容器を傾ける、または、逆さにする。容器２２が一つまたは複数の可撓性壁を有する場合には、容器２２を圧搾して、製品の流出をさらに容易にすることができる。
【００５１】
必要量の製品の流出が終わると容器は上向きの姿勢に戻され、使用者は、（図１から判るように）注出体４０を時計回りに回して、導管７０を図３に示す閉位置へと上向きに移動させる。
【００５２】
図３に示すように、開閉装置２０が全閉状態の時には、可撓性壁８０は上向きに傾斜した姿勢に復帰しており、導管７０は、カム受承溝１５０の上端に当接しているカム１７０のためにそれ以上上向きに移動できない。したがって、使用者は、注出体４０を時計回りにさらに回すことができない。
【００５３】
図３と図４を参照すると、注出体４０が、開閉装置の本体３０に対して常に軸方向同一位置または同一高さに維持されていることが判るであろう。さらに、開閉装置本体のスカート５２は、容器２２、および注出体４０に対して同一高さまたは一定位置に維持される。開閉装置を開閉するために注出体４０を回して開閉装置２０を操作しても、隙間は発生しない。
【００５４】
図３に示すように、注出体内側壁１６０の内面上の螺旋状カム溝１５０より上方の部位は、開閉装置本体上端部の密封突条１０１と密封するように接触している。これにより、導管７０が上下動して装置が開けられる（および閉じられる）時に、注出体壁１６０の内面、および導管７０によって画成される連続密封の排出路が構成される。
【００５５】
ライナー６０を採用する必要がないことは判るであろう。ライナー６０が用いられない場合、導管７０は、鋭い切断用下端縁を持つ必要がなく、可撓性壁８０の部位で終了する（すなわち、それより下方に延出しない）。
【実施例２】
【００５６】
図６に示す別の実施例では、開閉装置の注出体４０Ａが、開閉装置本体の上向きに突出する環状壁６２Ａに内部でスナップ嵌合している。このために、開閉装置本体の壁６２Ａが、半径方向内向きに突出する環状突条６３Ａを規定し、また、注出体４０Ａが、下向きに延在するカラー１６０Ａを規定し、カラー１６０Ａは、突条６３Ａとスナップ嵌合するための半径方向外向きに突出する環状突条６５Ａを有する。
【００５７】
導管７０Ａは、可撓性壁８０Ａによって開閉装置本体の壁６２Ａに連結されている。また、導管７０Ａの外面は、注出体壁１６０Ａ内面のねじ７３Ａに係合するためのねじ７１Ａを含む。ねじ７１Ａ，７３Ａの間のねじ係合は、図１〜図５に図示した第一の実施例に関して先に説明したカム軌道とカム従動子との構成を機能的に代替する。図６に示した第二の実施例の他の観点は、図１〜図５に示した第一の実施例の対応する特徴とほぼ同一である、または、類似している。
【実施例３】
【００５８】
図７は、開閉装置の第三の実施例を示しており、注出体４０Ｂが、可撓性壁８０Ｂによって開閉装置本体の壁６２Ｂに連結されたカム駆動式の導管７０Ｂを包囲している。可撓性壁８０Ｂは、肉厚のリング部８１Ｂ、および薄肉の溝部またはウェブ部８３Ｂを含む。壁８０Ｂをこの構成にすることにより、開閉装置を開閉するために注出体４０Ｂを回す時に、半径方向の安定性を維持しつつ、直動時の可撓性を向上させることができる。第三の実施例による開閉装置の他の特徴は、図１〜図５を参照して先に説明した第一の実施例の対応する特徴とほぼ同一である。
【００５９】
また、この発明による注出蓋装置２０を、適当な悪戯明示形状および／または耐子供（ｃｈｉｌｄ−ｒｅｓｉｓｔａｎｔ）形状を組み込む設計に容易にできることが判るであろう。そのような形状は、開閉装置本体の構造体内部に組み込む、および／または、カバー構造体または収縮フィルム組立体（図示せず）を含むようにしてもよい。例えば、必要な場合には、悪戯明示バンド（図示せず）を、開閉装置の本体３０と容器２２との間に採用してもよいことは判るであろう。そのような悪戯明示バンドを、脆弱な連結材で開閉装置本体のスカートの下端から吊り下げ、かつ、他端部を折り返して容器のつば下方に係合させることができる。
【００６０】
また、悪戯明示バンドが採用されている、いないにかかわらず、開閉装置の本体３０を容器に取り外し不可能に装着してもよい。
【００６１】
さらに、必要な場合には、カバー（図示せず）を開閉装置の本体３０に設けて、開閉装置の注出体４０を覆うように保護してもよい。そのようなカバーは、完全に別体の構成部品であってよく、または、そのようなカバーは、適当な連結具または紐を用いて開閉装置の本体３０に繋着されていてよい。
【００６２】
図５に示した本体３０のような開閉装置本体は、開閉装置本体３０の他の部位に用いられる小さい可撓性の材料に対して、別の種類で、大きい可撓性を有する材料を可撓性壁８０に用いることができるように二層射出により成形される。
【００６３】
また、本発明による注出蓋装置は、容器とは別体の開閉装置として提供する必要がないことは判るであろう。代わりに、開閉装置の本体３０は、容器２２と一体の構成部品として成形される。容器は、（１）初めは開いている底部、（２）上端部を形成して、容器上端の開口を規定する周囲壁、および（３）容器上端の開口の上方に、容器の周囲壁から半径方向内向きに延出して、容器上端部との一体部分を形成すると共に、上端部開閉装置の本体壁６２、可撓性壁８０、および導管７０が規定される一体の開閉装置本体部を有するように成形される。次に、注出体４０が設けられて、開閉装置が全閉状態にされる。さらに、容器には開いた底部から製品が充填され、開いた底部は、続けて、加熱変形や別体の底部閉鎖栓またはキャップのような適当な手段によって密閉される。
【００６４】
以上の本発明の詳細な説明、および図面から、数多くの変形や修正を、本発明の新規な概念または原理の真の精神、および範囲から逸脱することなく行うことができると、直ちに明らかになるであろう。
【図面の簡単な説明】
【００６５】
【図１】本発明の好適実施例による別体の注出蓋装置として例示された注出蓋装置の部分斜視図であり、容器に装着されて、開閉装置のほぼ上方または上部の高い点から見た全閉形状の開閉装置が図示されている。
【図２】図１に示された開閉装置の展開斜視図。
【図３】図１の概ね面３−３に沿う部分断面図。
【図４】図３類似の図であるが、開閉装置が開形状に操作された後の開閉装置を示す。
【図５】図４類似の図であるが、構成部品が互いに取り外されている。
【図６】図３類似の部分断面図であるが、本発明による注出蓋装置の第二の実施例を示す。
【図７】図３類似の部分断面図であるが、本発明による注出蓋装置の第三の実施例を示す。
【符号の説明】
【００６６】
２０  注出蓋装置
２２  容器
２４  本体
２６  頚部
２８  開口
３０  本体
４０  注出体
４２  注出オリフィス
５０  基部
５２  スカート
５４  平面部
５６  雌ねじ
５８  雄ねじ
６０  ライナー
６２  縮径環状壁
６４  口唇部
７０  導管
８０  可撓性壁
８４  内部排出路
９０  排出穴
９４  リブ
１００  中央栓
１０１  密封突条
１１０  切断用刃
１１６  第一密封面
１２０  スカート
１２２  天板部
１２４  カラー
１２６  テーパー付き面
１３０  第二密封面
１４０  突条
１５０  カム溝
１６０  壁
１７０  カム従動子
１９０  フラップ
４０Ａ  注出体
６２Ａ  壁
６３Ａ  環状突条
６５Ａ  環状突条
７０Ａ  導管
７１Ａ  ねじ
７３Ａ  ねじ
８０Ａ  可撓性壁
１６０Ａ  カラー
４０Ｂ  注出体
６２Ｂ  壁
７０Ｂ  導管
８０Ｂ  可撓性壁
８１Ｂ  リング部
８３Ｂ  ウェブ部
【国際公開パンフレット】
2005500207.tif 000003
2005500207.tif 000004
2005500207.tif 000005
2005500207.tif 000006
2005500207.tif 000007
2005500207.tif 000008
2005500207.tif 000009
2005500207.tif 000010
2005500207.tif 000011
2005500207.tif 000012
2005500207.tif 000013
2005500207.tif 000014
2005500207.tif 000015
2005500207.tif 000016
2005500207.tif 000017
2005500207.tif 000018
2005500207.tif 000019
2005500207.tif 000020
2005500207.tif 000021
2005500207.tif 000022
2005500207.tif 000023
2005500207.tif 000024
【国際調査報告】
2005500207.tif 000025